(57)【要約】  本発明の体均衡補助器具は、地面に配置される支持部；一端が支持部の一端に回動可能であるように結合される踏み台部；及び一端が踏み台部の他端に回動可能であるように備えられ、他端が支持部に支持されて、踏み台部と支持部との間の角度を調節する傾斜度調節部とを含む。  これにより、傾斜度調節部を利用して踏み台部と支持部との間の角度を選択的に調節することができ、踏み台部の傾斜度に応じて身体均衡運動の強度を調節することができるため、使用効率が向上する。また、踏み台フレームの一側に係止段差が形成され、滑り止め部が備えられて、傾斜度を有する踏み台部上に足が滑ることなく安定して支持できる。さらに、踏み台部と支持部及び傾斜度調節部が互いに回動可能であるように備えられて、身体均衡補助器具を平面状に折り畳め、複数個の身体均衡補助器具を互いに結合できるため、身体均衡補助器具を使用しない場合、保管容易で、空間活用度が高い。【選択図】図１
2021518802.tif 000002
【特許請求の範囲】
【請求項１】
地面に配置される支持部；
一端が前記支持部の一端に回動可能であるように結合される踏み台部；及び、
一端が前記踏み台部の他端に回動可能であるように備えられ、他端が前記支持部に支持されて、前記踏み台部と前記支持部との間の角度を調節する傾斜度調節部とを含む、身体均衡補助器具。
【請求項２】
前記支持部は、
一端が前記踏み台部の一端の中心部に回動可能であるように結合される支持フレームと、
前記支持フレームの他側両端に回動可能に結合され、長さ方向に沿って互いに離隔した複数個の係止溝が形成された一対の支持ブロックとを含む、
請求項１に記載の身体均衡補助器具。
【請求項３】
前記傾斜度調節部は、
他端両側に円筒状の一対の係止片を含み、
前記係止溝は、反円筒状に形成されて、前記係止片が前記係止溝に選択的に安着する、
請求項２に記載の身体均衡補助器具。
【請求項４】
前記踏み台部は、
前記支持部の一端に回動可能であるように結合する回動バーと、
前記回動バーに結合して曲面で形成される踏み台フレームと、
前記踏み台フレームの一側上面に、前記踏み台フレームの幅方向に沿って突出形成された係止段差とを含む、
請求項１に記載の身体均衡補助器具。
【請求項５】
前記踏み台フレームは、
上面に複数個の突起が形成された滑り止め部をさらに含む、
請求項４に記載の身体均衡補助器具。
【発明の詳細な説明】
【技術分野】
【０００１】
本発明は、身体均衡補助器具に関し、より詳細には、身体均衡運動を通じて筋力、柔軟性、姿勢矯正などの身体調整能力を向上させ、健康を増進させる身体均衡補助器具に関する。
【背景技術】
【０００２】
通常、健康を増進させるために、体脂肪を酸化するための有酸素運動、筋力を強化させる筋力トレーニング、又は血液循環を改善して身体の不均衡を解消する身体均衡運動などがある。上記運動のうち身体均衡運動は、安定した身体均衡を保つことにより、身体の平衡感覚が取られ、筋力、柔軟性、姿勢矯正などの効果が与えられる運動であって、平均台を利用して両腕を広げて、片足でバランスを取るか、ジムボールのようなぶわぶわした器具に座って中心を取る方法、又は傾斜した踏み台を踏んで姿勢を維持する運動方法などがある。
【０００３】
従来の身体均衡補助器具に関する技術としては、韓国登録実用新案２０−０４６３１２０号が開示されている。
【０００４】
しかしながら、従来の身体均衡補助器具は、弾性力を有する弾性屈折部材を用いて傾斜面を形成して、身体の平衡感覚を鍛えるためのものであって、固定されていない傾斜角度を形成させることにより、運動中、落傷によるリスクがあり、様々な傾斜角度を選択的に変更することが難しくて、使用効率が低下し得る。また、未使用時は、室内に空間を占めるようになり、ワンルーム、オフィステルのような狭い家で保管するには空間の制約を受けるという短所がある。
【発明の概要】
【発明が解決しようとする課題】
【０００５】
本発明は、上述の問題点を解消するために創出されたもので、使用効率が高く、保管しやすい身体均衡補助器具を提供することを目的とする。
【課題を解決するための手段】
【０００６】
上述の目的を達成するために、本発明による身体均衡補助器具は、地面に配置される支持部；一端が前記支持部の一端に回動可能であるように結合される踏み台部；及び一端が前記踏み台部の他端に回動可能であるように備えられ、他端が前記支持部に支持されて、前記踏み台部と前記支持部との間の角度を調節する傾斜度調節部とを含む。
【０００７】
ここで、前記支持部は、一端が前記踏み台部の一端の中心部に回動可能であるように結合される支持フレームと、前記支持フレームの他側両端に回動可能に結合され、長さ方向に沿って互いに離隔した複数個の係止溝が形成された一対の支持ブロックとを含んでいてもよい。
【０００８】
また、前記傾斜度調節部は、他端両側に円筒状の一対の係止片を含み、前記係止溝は、反円筒状に形成されて、前記係止片が前記係止溝に選択的に安着することができる。
【０００９】
また、前記踏み台部は、前記支持部の一端に回動可能であるように結合する回動バーと、前記回動バーに結合して曲面で形成される踏み台フレームと、前記踏み台フレームの一側上面に前記踏み台フレームの幅方向に沿って突出形成した係止段差を含んでいてもよい。
【００１０】
また、前記踏み台フレームは、上面に複数個の突起が形成された滑り止め部をさらに含んでいてもよい。
【発明の効果】
【００１１】
本発明による身体均衡補助器具によれば、傾斜度調節部を利用して踏み台部と支持部との間の角度を選択的に調節することができ、踏み台部の傾斜度に応じて身体均衡運動の強度を調節することができるため、使用効率を向上させることができる。
【００１２】
また、踏み台フレームの一側に係止段差が形成され、滑り止め部が備えられて、傾斜度を有する踏み台部上に足が滑ることなく安定して支持することができる。
【００１３】
さらに、踏み台部と支持部及び傾斜度調節部が互いに回動可能であるように備えられて、身体均衡補助器具を平面状に折り畳むことができ、複数個の身体均衡補助器具を互いに結合させることができるため、身体均衡補助器具を使用しない場合、保管が容易で、空間活用度が高い。
【図面の簡単な説明】
【００１４】
【図１】本発明の一実施形態による身体均衡補助器具の斜視図である。
【図２】図１の身体均衡補助器具の踏み台部と支持部との間の角度が変更された状態を示した斜視図である。
【図３】図１の身体均衡補助器具を折り畳んだ状態を示した斜視図である。
【図４】図１の身体均衡補助器具を折り畳む様子を順次に示した側面図である。
【図５】図１の身体均衡補助器具を複数個折り畳めて保管する様子を示した側面図である。
【図６】図１の身体均衡補助器具を複数個折り畳めて保管する様子を示した側面図である。
【発明を実施するための形態】
【００１５】
以下では、添付の図面を参照して、本発明による好ましい実施形態を詳説する。その前に、本明細書及び請求範囲に使われた用語や単語は、通常的若しくは辞書的意味に限定して解釈してはならないし、発明者は、自己の発明を最も最善の方法により説明するために、用語の概念を好適に定義し得る原則に即して、本発明の技術的思想に符合する意味と概念に解釈しれなければならない。
【００１６】
よって、本明細書に記載した実施形態と図面に示された構成は、本発明の最も好ましい実施形態に過ぎないだけであり、本発明の技術的思想をいずれも代弁することではないため、本出願時点において、これらを取り替えられる均等な変形例があり得ることを理解すべきである。
【００１７】
以下では、本発明の実施形態を添付の図面を参照して詳説すれば、次のとおりである。
【００１８】
図１〜図６を参照すれば、本発明の一実施形態による身体均衡補助器具１０は、支持部１００、踏み台部２００、傾斜度調節部３００とを含む。
【００１９】
前記支持部１００は、地面に配置される。前記支持部１００は、支持フレーム１１０と一対の支持ブロック１２０とを含んでいてもよい。
【００２０】
前記支持フレーム１１０は、直方体板で形成されて、地面に配置される。前記支持フレーム１１０は、一端が後述する踏み台部２００の一端に回動可能であるように結合される。付け加えると、前記支持フレーム１１０の幅は、前記踏み台部２００の幅より狭く形成され、前記踏み台部２００の中心部に回動可能であるように結合されることが好ましい。
【００２１】
前記一対の支持ブロック１２０は、前記支持フレーム１１０の他側両端に回動可能に結合される。すなわち、前記一対の支持ブロック１２０は、前記支持フレーム１１０の他側両端に回動可能であるように備えられて、回動することにより、前記支持フレーム１１０の両側に配置することができる。付け加えると、前記一対の支持ブロック１２０の幅及び前記支持フレーム１００の幅を足した大きさと、前記踏み台部２００の幅の大きさとは、互いに対応することが好ましい。前記一対の支持ブロック１２０は、後述する傾斜度調節部３００を支持するためのものであって、長さ方向に沿って互いに離隔した複数個の係止溝１２１が形成される。前記係止溝１２１は、反円筒状に形成されることが好ましい。
【００２２】
前記踏み台部２００は、上面に足が配置されて、足を掛けるためのものであって、一端が前記支持部１００の一端に回動可能であるように結合される。前記踏み台部２００は、回動バー２１０、踏み台フレーム２２０、係止段差２３０とを含んでいてもよい。
【００２３】
前記回動バー２１０は、前記支持部１００の一端に回動可能であるように結合する。すなわち、前記回動バー２１０の中心部に、前記支持部１００が回動可能であるように結合することができる。付け加えると、前記回動バー２１０の長さは、前記支持部１００の幅より大きく形成されて、前記回動バー２１０の中心部に前記支持部１００が回動可能であるように結合されることが好ましい。
【００２４】
前記踏み台フレーム２２０は、足を支持する板で形成されて、前記回動バー２１０に結合される。よって、前記踏み台フレーム２２０は、前記回動バー２１０によって前記支持部１００と回動可能であるように備えられる。前記踏み台フレーム２２０は、中心部が凸曲面で形成される。前記踏み台フレーム２２０は、回動することにより、一側から他側に行くほど、上向傾斜するように配置させることができる。よって、使用者は、傾斜した曲面の前記踏み台フレーム２２０の上面に立って身体均衡運動を行うことができる。前記踏み台フレーム２２０は、滑り止め部２２１をさらに含んでいてもよい。
【００２５】
前記滑り止め部２２１は、複数個の突起２２２が形成され、前記踏み台フレーム２２０の上面に備えられる。すなわち、使用者は、前記滑り止め部２２１の上面に足を掛けて身体均衡運動を行うことができる。前記滑り止め部２２１は、前記踏み台フレーム２２０の上面に、前記踏み台フレーム２２０の長さ方向に沿って備えられ、前記踏み台フレーム２２０に使用者の足が配置されたときに足が滑ることを防ぎ、足の位置を安定して保つ。また、前記複数個の突起２２２を介して足に指圧効果を与えることができる。
【００２６】
前記係止段差２３０は、足が前記係止段差２３０によって支持されるためのものであって、前記踏み台フレーム２２０の一側上面に突出形成される。付け加えると、前記係止段差２３０は、三角柱で形成されて、前記踏み台フレーム２２０の幅方向に沿って突出形成される。よって、使用者は、前記踏み台フレーム２２０の上面を踏んで身体均衡運動を行う際、足が前記踏み台フレーム２２０の外側に滑り離脱することを防ぐことができるため、安定した身体均衡を鍛えることができる。
【００２７】
前記傾斜度調節部３００は、前記踏み台部２００と前記支持部１００との間の角度を調節するためのものであって、一端が前記踏み台部２００の他端に回動可能であるように備えられる。前記傾斜度調節部３００は、他端が前記支持部１００に支持されて、前記踏み台部２００と前記支持部１００との間の角度を調節することができる。すなわち、前記傾斜度調節部３００の他端が前記支持部１００に支持される位置に応じて、前記踏み台部２００の傾斜度を選択的に変更させることができる。前記傾斜度調節部３００は、一対の係止片３１０を含んでいてもよい。
【００２８】
前記一対の係止片３１０は、前記傾斜度調節部３００の他端両側に備えられるものであって、円筒状に形成される。前記一対の係止片３１０は、それぞれ前記一対の支持ブロック１２０の前記係止溝１２１に安着することができる。すなわち、前記一対の係止片３１０は、前記係止溝１２１の大きさ及び位置に対応するように備えられる。前記係止片３１０が前記係止溝１２１に安着することにより、前記傾斜度調節部３００の他端が前記支持部１００に支持されて、前記踏み台部２００が一側から他側に行くほど、上向傾斜するように配置することができ、前記係止片３１０の位置に応じて、前記支持部１００間の角度を調節することができる。付け加えると、前記複数個の係止溝１２１が前記支持ブロック１２０の長さ方向に沿って互いに離隔して形成されることにより、前記係止片３１０が前記複数個の係止溝１２１のいずれかに安着することにより、前記踏み台部２００の傾斜度を選択的に調整可能である。よって、前記傾斜度調節部３００を利用して、前記踏み台部２００と前記支持部１００との間の角度を選択的に調節することができるため、前記踏み台部２００の傾斜度に応じて身体均衡運動の強度を調節することができ、使用効率を増大することができる。
【００２９】
一方、前記身体均衡補助器具１０は、前記支持部１００、前記踏み台部２００及び前記傾斜度調節部３００が互いに回動可能であるように備えられることにより、平面状に折り畳めて保管が容易である。図４を参照して、前記身体均衡補助器具１０を平面状に折り畳む過程をステップ別に検討する。図４（ａ）は、前記踏み台部２００が一側から他側に行くほど、上向傾斜するように配置させた状態であり、上向傾斜した前記踏み台部２００の上面に足を掛けて身体均衡運動を行うことができる。
【００３０】
先ず、図４（ｂ）を参照すれば、前記一対の支持ブロック１２０を前記支持フレーム１１０側に回動させて、前記支持フレーム１１０の両側に配置させる。このとき、前記一対の支持ブロック１２０を回動させることにより、前記複数個の係止溝１２１を下側方向に向けて配置することができる。
【００３１】
次に、図４（ｃ）に示したように、前記傾斜度調節部３００を回動させることにより、前記支持部１００の下側に配置させる。前記傾斜度調節部３００が前記支持部１００の下側に配置されることにより、前記一対の係止片３１０が前記一対の係止溝１２１に配置されてもよい。すなわち、前記傾斜度調節部３００を回動させて、前記係止片３１０が前記係止溝１２１内に配置されることにより、前記身体均衡補助器具１０が平面状に安定して折畳可能である。また、前記踏み台部２００が曲面で形成されることにより、前記支持部１００が前記踏み台部２００の下側に配置されるのに容易である。よって、図５に示したように、前記身体均衡補助器具１０が平面状に折畳可能であり、複数個の前記身体均衡補助器具１０を保管するのに容易である。
【００３２】
一方、前記回動バー２１０は、前記係止溝１２１に対応する直径で形成されることが好ましい。よって、図６に示したように、一つの身体均衡補助器具１０ａの係止溝１２１にもう一つの身体均衡補助器具１０ｂの前記回動バー２１０を安着させることにより、複数個の身体均衡補助器具１０ａを折畳状態で相互結合が可能である。すなわち、前記複数個の身体均衡補助器具１０ａ、１０ｂを互いに結合させて、折畳状態を安定して維持することができ、保管が容易である。
【００３３】
本発明による身体均衡補助器具によれば、傾斜度調節部を利用して踏み台部と支持部との間の角度を選択的に調節することができ、踏み台部の傾斜度に応じて身体均衡運動の強度を調節することができるため、使用効率を向上させることができる。
【００３４】
また、踏み台フレームの一側に係止段差が形成され、滑り止め部が備えられて、傾斜度を有する踏み台部上に足が滑ることなく安定して支持することができる。
【００３５】
さらに、踏み台部と支持部及び傾斜度調節部が互いに回動可能であるように備えられて、身体均衡補助器具を平面状に折り畳むことができ、複数個の身体均衡補助器具を互いに結合させることができるため、身体均衡補助器具を使用しない場合、保管が容易で、空間活用度が高い。
【００３６】
本発明は、図面に示した実施形態を参考にして説明されたが、これは例示的なものに過ぎないし、本技術分野における通常の知識を有する者であれば、これから多様な変形及び均等な他の実施形態が可能である点を理解することができるだろう。よって、本発明の真な技術的保護の範囲は、添付の特許請求の範囲の技術的思想によって定められるべきである。
【図１】
2021518802.tif 000003
【図２】
2021518802.tif 000004
【図３】
2021518802.tif 000005
【図４（ａ）】
2021518802.tif 000006
【図４（ｂ）】
2021518802.tif 000007
【図４（ｃ）】
2021518802.tif 000008
【図５】
2021518802.tif 000009
【図６】
2021518802.tif 000010
【国際調査報告】
2021518802.tif 000011
2021518802.tif 000012
2021518802.tif 000013
2021518802.tif 000014